(57)【要約】【課題】後援会事務所で用いられてきた後援会名簿の代わりに、後援会入会者や紹介者その他様々な支援者を一括して管理し、かつ選挙ごとに完全に把握することが可能な支援者名簿管理システムを提供する。【解決手段】このシステムは支援者名簿管理プログラム２０をＰＣ１１にインストールし、支援者データベース２１及び紹介情報データベース２２を構築することにより実現される。支援者データベース２１には、支援者の個人ＩＤと、支援者の名前、住所、電話番号等と、紹介者か否かを示す紹介者フラグと、後援会入会者か否かを示す入会者フラグとを対応付けて登録する。紹介情報データベース２２には、後援会入会者の個人ＩＤと、紹介者の個人ＩＤとを対応付けて登録する。いつの選挙で後援会に入会したか、いつの選挙で後援会入会者を紹介したかを把握するために、このシステムは後援会活動年を基本設定に持たせる。【選択図】図１
2007047885.tif 000002
【特許請求の範囲】
【請求項１】
支援者に付与された個人識別子と、支援者の個人情報と、支援者が紹介者か否かを示す紹介者属性情報と、支援者が後援会入会者か否かを示す入会者属性情報とを対応付けて記憶するための支援者記憶手段と、
後援会入会者の個人識別子と、後援会入会者を紹介した紹介者の個人識別子とを対応付けて記憶するための紹介情報記憶手段と、
支援者の個人情報と、支援者が紹介者か否かを示す紹介者属性情報と、支援者が後援会入会者か否かを示す入会者属性情報と、後援会入会者を紹介した紹介者の個人識別子及び／又は個人情報との入力を受け付ける入力手段と、
前記入力手段により入力された、支援者の個人情報と、紹介者属性情報及び／又は入会者属性情報とを、支援者に付与された個人識別子に対応付けて前記支援者記憶手段に登録する支援者登録手段と、
前記入力手段により入力された紹介者の個人識別子を後援会入会者の個人識別子と対応付けて前記紹介情報記憶手段に登録する紹介情報登録手段とを備えたことを特徴とする支援者名簿管理システム。
【請求項２】
請求項１に記載の支援者名簿管理システムであってさらに、
前記紹介情報記憶手段を参照し、各紹介者の個人識別子に対応する後援会入会者の個人識別子の数をカウントする紹介人数カウント手段を備えたことを特徴とする支援者名簿管理システム。
【請求項３】
請求項１又は請求項２に記載の支援者名簿管理システムであってさらに、
紹介者入力モードでは前記入力手段により入力される紹介者属性情報を紹介者に設定し、入会者入力モードでは前記入力手段により入力される入会者属性情報を後援会入会者に設定する設定手段を備えたことを特徴とする支援者名簿管理システム。
【請求項４】
請求項１〜請求項３のいずれか１項に記載の支援者名簿管理システムであってさらに、
前記入力手段により入力された支援者の個人情報と同じ個人情報が既に前記支援者記憶手段に登録されていないかチェックする重複チェック手段と、
前記重複チェック手段によるチェックの結果、同じ個人情報が既に登録されている場合、その個人情報を前記支援者記憶手段から読み出し、前記入力手段により入力される個人情報とする読出手段とを備えたことを特徴とする支援者名簿管理システム。
【請求項５】
コンピュータを請求項１〜請求項４のいずれか１項に記載の手段として機能させるための支援者名簿管理プログラム。
【発明の詳細な説明】
【技術分野】
【０００１】
本発明は、支援者名簿管理システムに関し、さらに詳しくは、政治家等の支援者を管理するための支援者名簿管理システムに関する。
【背景技術】
【０００２】
従来、政治家等の後援会事務所では、後援会入会者名簿、紹介者名簿、集会参加者名簿など、多種類の名簿（通常、一般的には「後援会名簿」又は「後援会管理名簿」と呼ばれているが、以下、これらを総称して「支援者名簿」ということがある。）を用いて支援者を管理している。後援会入会者名簿には後援会に入会した支援者を登録し、紹介者名簿には後援会入会者を紹介した支援者を登録し、集会参加者名簿にはミニ集会や決起集会等に参加した支援者を登録している。そのため、名簿ごとに、支援者の名前、住所、電話番号など、同じ情報を繰り返し入力しなければならない。たとえば、有権者Ａが後援会に入会し、さらに別の有権者Ｂを紹介してその人が後援会に入会した場合、有権者Ａは後援会入会者名簿と支援者名簿の両方に重複登録される。
【０００３】
また、後援会事務所では、選挙ごとに後援会への入会勧誘活動を行うので、支援者名簿は選挙ごとに作成しなければならない。そのため、前回の選挙で作成された支援者名簿に既に登録されている支援者であっても、今回の選挙で作成する支援者名簿に再登録しなければならない。たとえば、有権者Ａが前回の選挙で後援会に入会し、さらに今回の選挙でも後援会に入会した場合、有権者Ａは前回の選挙で作成された支援者名簿と今回の選挙で作成される支援者名簿の両方に登録される。支援者名簿はこの点で通常の住所録と大きく異なる。
【０００４】
このように後援会事務所では、多種類の支援者名簿を選挙ごとに作成しているので、ある支援者の後援会活動を調査するためには、選挙ごとに作成された後援会入会者名簿、紹介者名簿等を順に全て閲覧しなければならない。
【０００５】
一方、特開平８−６５３２５号公報（特許文献１）には、支援者（有権者）をランク付けすることにより、立候補者の総合評価をリアルタイムに判定できるようにした選挙管理の評価装置が開示されている。この装置では、支援者の名前、住所、電話番号、紹介者の名前、後援会に入会した日付等が入力され、支援者ごとに設定されたランクとともにハードディスク等に記憶されている。
【０００６】
しかしながら、この特許文献１には、支援者と紹介者とをどのような態様で登録しているのか、その詳細は全く記載されていない。仮に、最も一般的な態様として、支援者の名前に対応付けてその支援者が紹介した別の支援者の名前を登録しているとすると、紹介人数が増加していくに連れて登録のためのフィールドを増加させなければならない。その結果、メモリ領域を浪費するという問題がある。
【特許文献１】特開平８−６５３２５号公報
【発明の開示】
【発明が解決しようとする課題】
【０００７】
本発明の目的は、メモリ領域を浪費することなく、後援会入会者及び紹介者を一括して管理することが可能な支援者名簿管理システムを提供することである。
【課題を解決するための手段及び発明の効果】
【０００８】
本発明による支援者名簿管理システムは、支援者記憶手段と、紹介情報記憶手段と、入力手段と、支援者登録手段と、紹介情報登録手段とを備える。支援者記憶手段は、支援者に付与された個人識別子と、支援者の個人情報と、支援者が紹介者か否かを示す紹介者属性情報と、支援者が後援会入会者か否かを示す入会者属性情報とを対応付けて記憶する。紹介情報記憶手段は、後援会入会者の個人識別子と、後援会入会者を紹介した紹介者の個人識別子とを対応付けて記憶する。入力手段は、支援者の個人情報と、支援者が紹介者か否かを示す紹介者属性情報と、支援者が後援会入会者か否かを示す入会者属性情報と、後援会入会者を紹介した紹介者の個人識別子及び／又は個人情報との入力を受け付ける。支援者登録手段は、入力手段により入力された、支援者の個人情報と、紹介者属性情報及び／又は入会者属性情報とを、支援者に付与された個人識別子に対応付けて支援者記憶手段に登録する。紹介情報登録手段は、入力手段により入力された紹介者の個人識別子を後援会入会者の個人識別子と対応付けて紹介情報記憶手段に登録する。ここで、支援者には、後援会入会者及び紹介者が含まれる。個人情報には、名前、住所、電話番号などが含まれる。支援者記憶手段及び紹介情報記憶手段は単一の記憶媒体に実現されてもよいが、複数の記憶媒体に分散して実現されてもよい。
【０００９】
この支援者名簿管理システムによれば、後援会入会者には入会者属性情報を付与し、紹介者には紹介者属性情報を付与することにより、後援会入会者及び紹介者を支援者として一括して管理することができる。また、誰が誰を紹介したという紹介情報については支援者記憶手段ではなく、紹介情報記憶手段に紹介者の個人識別子を後援会入会者の個人識別子と対応付けて登録しているので、メモリ領域を浪費することはない。
【００１０】
好ましくは、支援者名簿管理システムはさらに、紹介情報記憶手段を参照し、各紹介者の個人識別子に対応する後援会入会者の個人識別子の数をカウントする紹介人数カウント手段を備える。
【００１１】
この場合、各支援者の紹介人数が自動的にカウントされるので、各支援者の後援会活動を速やかに評価することができる。
【００１２】
好ましくは、支援者名簿管理システムはさらに、紹介者入力モードでは入力手段により入力される紹介者属性情報を紹介者に設定し、入会者入力モードでは入力手段により入力される入会者属性情報を後援会入会者に設定する設定手段を備える。
【００１３】
この場合、紹介者入力モードでは紹介者属性情報が自動的に入力され、入会者入力モードでは入会者属性情報が自動的に入力されるので、これら属性情報の入力手間を省くことができる。
【００１４】
好ましくは、支援者名簿管理システムはさらに、重複チェック手段と、読出手段とを備える。重複チェック手段は、入力手段により入力された支援者の個人情報と同じ個人情報が既に支援者記憶手段に登録されていないかチェックする。読出手段は、重複チェック手段によるチェックの結果、同じ個人情報が既に登録されている場合、その個人情報を支援者記憶手段から読み出し、入力手段により入力される個人情報とする。
【００１５】
この場合、既に登録されている個人情報は支援者記憶手段から読み出され、自動的に入力されるので、個人情報の入力手間を省くことができる。
【発明を実施するための最良の形態】
【００１６】
以下、図面を参照し、本発明の実施の形態を詳しく説明する。図中同一又は相当部分には同一符号を付してその説明は繰り返さない。
【００１７】
［構成］
図１を参照して、本発明の実施の形態による支援者名簿管理システム１０は、パソコン（ＰＣ）１１と、キーボード１２と、マウス１３と、ディスプレイ１４と、プリンタ１５とを備える。ＰＣ１１は、ＣＰＵ(Central Processing Unit)１６と、ＲＯＭ(Read Only Memory)やＲＡＭ(Random Accesses Memory)等のメモリ１７と、ハードディスク（ＨＤＤ）１８と、入出力インターフェース（Ｉ／Ｆ）１９とを備える。ハードディスク１８には、支援者名簿管理プログラム２０がインストールされ、これにより支援者データベース２１及び紹介情報データベース２２が構築される。支援者名簿管理プログラム２０、支援者データベース２１及び紹介情報データベース２２の詳細は後述する。
【００１８】
［動作］
図２を参照して、支援者名簿管理プログラム２０が起動すると、ＰＣ１１はディスプレイ１４上に図３に示したメニュー画面３０を表示する（Ｓ１）。メニュー画面３０には、登録ボタン３１、検索ボタン３２、印刷ボタン３３、システム設定ボタン３４、及び終了ボタン３５が表示される。
【００１９】
ユーザが所望のボタンをマウス１３でクリックすると、ＰＣ１１はこの選択入力を受け付ける（Ｓ２）。登録ボタン３１が選択されると、ＰＣ１１は、支援者の名前等を登録する登録処理を実行する（Ｓ３）。検索ボタン３２が選択されると、ＰＣ１１は、登録された支援者を検索する検索処理を実行する（Ｓ４）。印刷ボタン３３が選択されると、ＰＣ１１は、登録された支援者をプリンタ１５で印刷する登録処理を実行する（Ｓ５）。システム設定ボタン３４が選択されると、ＰＣ１１は、支援者名簿管理システム１０の基本情報を設定するシステム設定処理を実行する（Ｓ６）。終了ボタン３５が選択されると、ＰＣ１１はこの支援者名簿管理プログラム２０を終了する（Ｓ７）。
【００２０】
［システム設定］
便宜上、まずシステム設定処理（Ｓ６）について説明する。
【００２１】
図４を参照して、システム設定処理が開始されると、ＰＣ１１は、ディスプレイ１４上に図５に示したシステム設定画面４０を表示する（Ｓ６１）。ここでは「後援会活動年」のタブ４１が選択され、後援会活動年の設定欄４２と、後援会活動年の切り替え欄４３とが表示される。
【００２２】
後援会活動年の設定欄４２にユーザがキーボード１２で所望の後援会活動年を入力すると、ＰＣ１１はその入力を受け付け、後援会活動年を設定する（Ｓ６２）。後援会は選挙ごとに後援会への入会勧誘活動を行うので、そのたびに後援会活動年が設定される。本例では、既に「平成１１年春統一地方選挙」用に「Ｈ１１」が設定され、「Ｈ１２年１期目活動開始」用に「Ｈ１２」が設定され、「平成１５年春の選挙戦開始」用に「Ｈ１５」が設定されている。ユーザが追加ボタン４４をマウス１３でクリックすると、ＰＣ１１は「NO.4」の項目を追加生成し、次の後援会活動年の入力を催促する。ユーザが後援会活動年を入力すると、ＰＣ１１はその入力された後援会活動年を設定する。
【００２３】
ＰＣ１１は、このようにして設定された後援会活動年を表１に示した後援会活動年テーブルに登録し、これをハードディスク１８に記憶する。
【表１】
2007047885.tif 000003
【００２４】
後援会活動年が追加されるたびにレコードが追加される。各レコードは、設定番号ＹＩＤを登録するためのフィールドと、後援会活動年ＹＮＡを登録するためのフィールドと、後援会活動年の名称ＹＫＡを登録するためのフィールドとを含む。
【００２５】
一方、後援会活動年の切り替え欄４３においてユーザがマウス１３で三角マーク４５をクリックすると、ＰＣ１１は既に設定されている後援会活動年の一覧表をメニュー形式で表示する。一覧表の中からユーザがマウス１３で所望の後援会活動年をクリックし、さらに設定ボタン４６をクリックすると、ＰＣ１１は現在設定されている後援会活動年をその選択された後援会活動年に切り替える（Ｓ６３）。以下、設定番号ＹＩＤ＝３に設定されているものとして登録処理（Ｓ３）を説明する。
【００２６】
［登録］
登録は後援会への入会申込みがあったときに行われる。図６に後援会入会申込書の一例を示す。後援会入会申込書５０には、後援会入会者の名前、住所、電話番号等を記入する欄５１と、その後援会入会者を紹介した紹介者の名前、住所、電話番号等を記入する欄５２とが設けられている。ここに記入された後援会入会者及び紹介者の両者を支援者として登録する。通常は先に紹介者を登録し、次に後援会入会者を登録する。
【００２７】
［紹介者入力モード］
図７を参照して、登録処理が開始されると、ＰＣ１１は、入力モードをデフォルトの入力モード、本例では紹介者入力モードに設定する（Ｓ３０１）。紹介者入力モードでは、ＰＣ１１は、紹介者フラグＳＫＢ１＝１に設定するとともに（Ｓ３０２）、紹介年次＝後援会活動年ＹＮＡ＋文字列「紹介」に設定する（Ｓ３０３）。ここで用いられる後援会活動年ＹＮＡは、上記システム設定処理（Ｓ６）で設定されたものである。本例では後援会活動年は「平成１５年春の選挙戦開始」に設定されているので、紹介年次＝「Ｈ１５紹介」となる。
【００２８】
続いて、ＰＣ１１はディスプレイ１４上に図８に示した登録画面６０を表示する（Ｓ３０４）。登録画面６０には、入力モードの選択を受け付けるエントリーボックス６１、新規に登録される支援者に自動的かつ順番に付与される個人ＩＤ６２、支援者の住所、名前、電話番号などの入力を受け付けるエントリーボックス６３、後援会活動年６４、入会情報の欄６５、所属情報の欄６６、通知情報の欄６７、紹介者の欄６８などが表示される。
【００２９】
本例では入力モードが紹介者入力モードに設定されているので、ＰＣ１１はエントリーボックス６１に「紹介者入力モード」と表示する。また、設定番号ＹＩＤ＝３に設定されているので、ＰＣ１１は表１に示した後援会活動年テーブルから設定番号ＹＩＤ＝３に対応する後援会活動年の名称ＹＫＡを読み出し、「平成１５年春の選挙戦開始」と表示する。また、入力モードが紹介者入力モードに設定されているので、ＰＣ１１は入会情報の欄６５をデフォルトでは入力不可能な状態で表示する。また、紹介者フラグＳＫＢ１＝１に設定されているので、ＰＣ１１は所属情報の欄６６内にある紹介者のチェックボックス６９にチェックマークを表示する。また、紹介年次＝「Ｈ１５紹介」に設定されているので、ＰＣ１１は紹介者の欄６８内にある紹介年次の項目７０に「Ｈ１５紹介」と表示する。このように、紹介者入力モードでは「紹介者」という所属情報及び紹介年次が自動的に入力されるので、ユーザによる入力手間を省き、しかも入力ミスをなくすことができる。
【００３０】
エントリーボックス６１の右側にある三角マーク７１をユーザがマウス１３でクリックすると、ＰＣ１１は入力モードの一覧表をメニュー形式で表示する。この一覧表には、紹介者入力モードの他、後援会への入会者入力モードが含まれる。一覧表の中からユーザがマウス１３で所望の入力モードをクリックすると、ＰＣ１１は入力モードを切り替える（Ｓ３０５）。入力モードの切替操作がない限り（Ｓ３０５でＮＯ）、ＰＣ１１は紹介者入力モードのまま次のステップＳ３０６に進む。一方、入力モードの切替操作がある場合（Ｓ３０５でＹＥＳ）、ＰＣ１１は図９に示したステップＳ３１１に進む。
【００３１】
入力モードが紹介者入力モードのまま場合（Ｓ３０５でＮＯ）、ＰＣ１１は、紹介者の名前、住所、電話番号等の入力を受け付ける（Ｓ３０６）。いずれの情報から入力されてもよいが、たとえば電話番号から入力された場合、ＰＣ１１は支援者データベース２１を検索し、その入力された電話番号と同じ電話番号が既に登録されていないかチェックする（Ｓ３０７）。このような重複チェックは電話番号だけでなく名前や住所でも行われる。
【００３２】
重複データがない場合（Ｓ３０７でＮＯ）、ＰＣ１１はその入力された紹介者の名前等を支援者データベース２１に新規登録する（Ｓ３０８）。支援者データベース２１には表２に示すような支援者テーブルが記憶される。
【表２】
2007047885.tif 000004
【００３３】
支援者テーブルは、支援者ごとに形成された複数のレコードを含む。各レコードは、支援者の個人ＩＤを記録するためのフィールド、支援者の名前ＮＡを記録するためのフィールド、支援者の郵便番号ＰＮＯを記録するためのフィールド、支援者の住所ＡＤを記録するためのフィールド、支援者の電話番号ＴＥＬを記録するためのフィールド、支援者に関するメモＭＥＭを記録するためのフィールド、紹介人数（支援者が紹介した後援会入会者の数）ＩＣＮを記録するためのフィールド、入会年次（支援者が後援会に入会した年次）ＡＤＹを記録するためのフィールド、紹介年次ＩＤＹを記録するためのフィールド、紹介者フラグＳＫＢ１（１：紹介者、０：非紹介者）を記録するためのフィールド、入会者フラグＳＫＢ２（１：入会者、０：非入会者）を記録するためのフィールドなどを有する。
【００３４】
一方、重複データがある場合（Ｓ３０７でＹＥＳ）、ＰＣ１１はその入力された紹介者のデータを支援者データベース２１から読み出し、登録画面６０上に表示する（Ｓ３０９）。ユーザは表示された紹介者の情報を確認し、変更のある情報だけを入力する。ＰＣ１１は、入力又は表示された紹介者の名前等を支援者データベース２１に再登録し、支援者データベース２１を更新する（Ｓ３１０）。たとえば住所等に全く変更のない支援者が今回の後援会活動年（本例では「平成１５年春の選挙戦開始」）で後援会入会者を紹介した場合、ユーザが紹介年次ボタン４７をクリックすると、ＰＣ１１は、紹介年次ＩＤＹ＝「Ｈ１５紹介」や紹介者フラグＳＫＢ１＝１などを表２に示した支援者テーブルに書き込む。この場合において、もし紹介年次の項目７０に古い紹介年次が表示されていれば、ＰＣ１１は新しい紹介年次（本例では「Ｈ１５紹介」）で紹介年次ＩＤＹを更新する。このように既登録の支援者を再登録する場合、既登録の情報が自動的に読み出され、簡単なボタン操作で入力されるので、ユーザによる入力手間を省き、しかも入力ミスをなくすことができる。
【００３５】
なお、既登録の紹介年次ＩＤＹや紹介者フラグＳＫＢ１を自動的に入力させることは可能であるが、ユーザが目で見てデータを更新した方がデータの入力漏れや入力データの登録し忘れを防止することができる。
【００３６】
［入会者入力モード］
一方、上記ステップＳ３０５で入力モードの切替操作が行われた場合（Ｓ３０５でＹＥＳ）、図９を参照して、ＰＣ１１は、入力モードを紹介者入力モードから入会者入力モードに切り替える（Ｓ３１１）。入会者入力モードでは、ＰＣ１１は、入会者フラグＳＫＢ２＝１に設定するとともに（Ｓ３１２）、入会年次＝後援会活動年ＹＮＡ＋文字列「入会」に設定する（Ｓ３１３）。本例では後援会活動年は「平成１５年春の選挙戦開始」に設定されているので、入会年次＝「Ｈ１５入会」となる。
【００３７】
続いて、ＰＣ１１はディスプレイ１４上に図１０に示した登録画面８０を表示する（Ｓ３１４）。登録画面８０は図８に示した登録画面６０と基本的に同じであるが、この登録画面８０では入力モードが入会者入力モードに設定されているので、ＰＣ１１はエントリーボックス６１に「入会者入力モード」と表示するとともに、入会情報の欄６５を入力可能な状態で表示する。また、入会者フラグＳＫＢ２＝１に設定されているので、ＰＣ１１は所属情報の欄６６内にある後援会入会者のチェックボックス８１にチェックマークを表示する。また、入会年次＝「Ｈ１５入会」に設定されているので、ＰＣ１１は入会情報の欄６５内にある入会年次の項目８２に「Ｈ１５入会」と表示する。このように、入会者入力モードでは「後援会入会者」という所属情報及び入会年次が自動的に入力されるので、ユーザによる入力手間を省き、しかも入力ミスをなくすことができる。
【００３８】
なお、紹介者フラグＳＫＢ１＝０であるから、紹介者のチェックボックス６９にはチェックマークは表示されない。また、入会者入力モードであるから、図８に示した登録画面６０にはある紹介者の欄６８は表示されない。
【００３９】
上記と同様に、ユーザが入力モードの切替操作を行うと、ＰＣ１１は入力モードを切り替える（Ｓ３１５）。入力モードの切替操作がない限り（Ｓ３１５でＮＯ）、ＰＣ１１は入会者入力モードのまま次のステップＳ３１６に進む。一方、入力モードの切替操作がある場合（Ｓ３１５でＹＥＳ）、ＰＣ１１は図７に示したステップＳ３０１に進む。
【００４０】
入力モードが入会者入力モードのまま場合（Ｓ３１５でＮＯ）、ＰＣ１１は、後援会入会者の名前等の入力を受け付け（Ｓ３１６）、支援者データベース２１を検索して重複チェックを行う（Ｓ３１７）。
【００４１】
重複データがない場合（Ｓ３１７でＮＯ）、ＰＣ１１はその入力された後援会入会者の名前等を支援者データベース２１に新規登録する（Ｓ３１８）。
【００４２】
一方、重複データがある場合（Ｓ３１７でＹＥＳ）、ＰＣ１１はその入力された後援会入会者のデータを支援者データベース２１から読み出し、登録画面８０上に表示する（Ｓ３１９）。ユーザは表示された後援会入会者の情報を確認し、変更のある情報だけを入力する。ＰＣ１１は、入力又は表示された後援会入会者の名前等を支援者データベース２１に再登録し、支援者データベース２１を更新する（Ｓ３２０）。たとえば住所等に全く変更のない支援者が今回の後援会活動年（本例では「平成１５年春の選挙戦開始」）で後援会に入会した場合、ユーザが入会年次ボタン４８をクリックすると、ＰＣ１１は、入会年次ＡＤＹ＝「Ｈ１５入会」や入会者フラグＳＫＢ２＝１などを表２に示した支援者テーブルに書き込む。この場合において、もし入会年次の項目８２に古い入会年次が表示されていれば、ＰＣ１１は新しい入会年次（本例では「Ｈ１５入会」）で入会年次ＡＤＹを更新する。
【００４３】
なお、既登録の入会年次ＡＤＹや入会者フラグＳＫＢ２を自動的に入力させることは可能であるが、ユーザが目で見てデータを更新した方がデータの入力漏れや入力データの登録し忘れを防止することがきる。
【００４４】
続いて、ユーザは入会者情報の欄６５に当該後援会入会者を紹介した紹介者の個人ＩＤ、紹介者の名前などを入力する。具体的には、ユーザが検索ウィンドウボタン４９をクリックすると、ＰＣ１１は検索画面を表示する。ユーザが当該紹介者に関する検索キー（名前等）を入力すると、ＰＣ１１は、検索キーに基づいて該当する支援者の情報を支援者データベース２１から読み出して表示する。ユーザがその中から当該紹介者をクリックすると、ＰＣ１１は、当該紹介者の個人ＩＤ及び名前を入会者情報６５の欄に自動的に貼り付ける。
【００４５】
ＰＣ１１は、このような紹介者に関する紹介情報の入力を受け付け（Ｓ３２１）、入力された紹介情報を紹介情報データベース２２に登録する（Ｓ３２２）。紹介情報データベース２２には表３に示すような紹介情報テーブルが記憶される。
【表３】
2007047885.tif 000005
【００４６】
紹介情報テーブルは複数のレコードを含む。各レコードは、何年の後援会活動年に誰が誰を紹介したかという紹介関係を１つずつ記録するためのもので、後援会活動年の設定番号ＹＩＤを記録するためのフィールド、後援会入会者の個人ＩＤを記録するためのフィールド、その後援会入会者を紹介した紹介者の個人ＩＤを記録するためのフィールド、その紹介者の名前ＡＮＡを記録するためのフィールド、後援会活動年ＹＮＡを記録するためのフィールドなどを有する。たとえば最上位のレコードには、「平成１１年春統一地方選挙」の後援会活動年に、個人ＩＤ＝１の支援者「北海道太郎」が個人ＩＤ＝４の支援者（表２から「紀州太郎」と判る）を紹介したことが記録されている。なお、紹介者の名前は紹介者の個人ＩＤから特定でき、後援会活動年は後援会活動年の設定番号から特定できるので、これらは紹介情報テーブルに含まれていなくてもよい。
【００４７】
紹介情報登録処理（Ｓ３２２）の詳細を図１１に示す。図１１を参照して、ＰＣ１１は、上記システム設定処理（Ｓ６）で設定された後援会活動年の設定番号ＹＩＤを登録し（Ｓ３３１）、入会者入力モードで新規登録又は再登録された後援会入会者の個人ＩＤを登録し（Ｓ３３２）、その後援会入会者を紹介した紹介者の個人ＩＤを登録し（Ｓ３３３）、その紹介者の名前ＳＮＡを登録し（Ｓ３３４）、上記システム設定処理（Ｓ６）で設定された後援会活動年ＹＮＡを紹介年として登録する（Ｓ３３５）。
【００４８】
紹介関係を記録するための別の手段として、紹介者の個人ＩＤを支援者テーブルのレコード内に追記していく方法も考えられる。しかしながら、この方法では紹介者の個人ＩＤを記録するためのフィールドを追加する必要があるので、支援者テーブルのサイズが大幅に大きくなり、メモリ領域を浪費してしまう。これに対し、上記の方法によれば、紹介関係を新規に登録するときには紹介情報テーブルにレコードを１つずつ追加すればよいので、支援者テーブルのサイズは大きくならず、紹介情報テーブルのサイズが少し大きくなるだけで済む。そのため、メモリ領域を浪費することはない。
【００４９】
紹介情報の登録後、ＰＣ１１は表２に示した支援者テーブルを参照し、登録した紹介者の紹介人数ＩＣＮを１つインクリメントすることにより、各紹介者の個人ＩＤに対応する後援会入会者の個人ＩＤの数をカウントする（Ｓ３２３）。このように各支援者の紹介人数ＩＣＮが自動的にカウントされるので、各支援者の後援会活動を速やかに評価することができる。
【００５０】
以上、本発明の実施の形態によれば、紹介者には紹介者フラグＳＫＢ１を付与し、後援会入会者には入会者フラグＳＫＢ２を付与しているため、紹介者及び後援会入会者を支援者として一括して管理することができる。その結果、紹介者名簿や後援会入会者名簿を別々に作成する必要がないので、支援者の登録も検索も速やかに行うことができる。また、システム設定により後援会活動年を管理し、各支援者の入会年次や紹介年次を登録しているため、選挙ごとに名簿を作成する必要はない。
【００５１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００５２】
【図１】本発明の実施の形態による支援者名簿管理システムのハードウェア構成を示す機能ブロック図である。
【図２】図１中の支援者名簿管理プログラムを示すフロー図である。
【図３】図２に示した支援者名簿管理プログラムの起動時に表示されるメニュー画面を示す図である。
【図４】図２中のシステム設定処理を示すフロー図である。
【図５】図４に示したシステム設定処理で表示されるシステム設定画面を示す図である。
【図６】図２中の登録に用いられる後援会入会申込書の一例を示す図である。
【図７】図２中の登録処理（紹介者入力モード）の詳細を示すフロー図である。
【図８】図７に示した登録処理（紹介者入力モード）で表示される登録画面を示す図である。
【図９】図２中の登録処理（入会者入力モード）の詳細を示すフロー図である。
【図１０】図９に示した登録処理（入会者入力モード）で表示される登録画面を示す図である。
【図１１】図９中の紹介情報登録処理の詳細を示すフロー図である。
【符号の説明】
【００５３】
１０  支援者名簿管理システム
１１  ＰＣ
２０  支援者名簿管理プログラム
２１  支援者データベース
２２  紹介情報データベース
【図１】
2007047885.tif 000006
【図２】
2007047885.tif 000007
【図３】
2007047885.tif 000008
【図４】
2007047885.tif 000009
【図７】
2007047885.tif 000010
【図９】
2007047885.tif 000011
【図１１】
2007047885.tif 000012
【図５】
2007047885.tif 000013
【図６】
2007047885.tif 000014
【図８】
2007047885.tif 000015
【図１０】
2007047885.tif 000016